Podtech/llm-jp-corpus-v4-ja_patent huggingface dataset:
(57)【要約】【課題】バイトまたは砥石の送り速度を早くしても表面粗さの小さい加工面を得ることができる金属部品の表面加工方法を提供する。【解決手段】旋盤または研磨機で加工した金属部品の加工面に、粒径０．１〜１．０ｍｍのショットを噴射圧０．１〜０．４ＭＰａで投射して、当該加工面における前記旋盤のバイトまたは前記研磨機の砥石の送り方向の表面粗さを極小に改善するようにしたことを特徴とする。【選択図】        なし【特許請求の範囲】
【請求項１】
旋盤または研磨機で加工した金属部品の加工面の表面粗さを極小にする金属部品の表面加工方法であって、
旋盤または研磨機で加工した金属部品の加工面に、粒径０．１〜１．０ｍｍのショットを噴射圧０．１〜０．４ＭＰａで投射して、当該加工面における前記旋盤のバイトまたは前記研磨機の砥石の送り方向の表面粗さを極小に改善するようにしたことを特徴とする金属部品の表面加工方法。
【請求項２】
請求項１に記載の金属部品の表面加工方法において、
前記金属部品は、旋盤または研磨機で加工する前に浸炭焼入れを行ったことを特徴とする金属部品の表面加工方法。
【発明の詳細な説明】
【技術分野】
【０００１】
本発明は、金属部品の表面加工方法に関する。
【背景技術】
【０００２】
一般に、金属部品を例えば旋盤で加工すると、加工面にはバイトによる螺旋状の微細な溝が形成され、その結果、その加工面は必然的に粗くなる。そのため、滑らかな加工面を要求する場合には、従来は、バイトの送り速度を極力遅くして螺旋状の溝の間隔をできるだけ狭くし、表面粗さが小さくなるようにしている。
【発明の開示】
【発明が解決しようとする課題】
【０００３】
しかし、このような従来の金属部品の表面加工方法では、バイトの送り速度が遅いため生産性が極めて悪いなどの問題があった。
【０００４】
本発明は、上記の事情に鑑みてなされたもので、その目的は、バイトまたは砥石の送り速度を早くしても表面粗さの小さい加工面を得ることができる金属部品の表面加工方法を提供することにある。
【課題を解決するための手段】
【０００５】
上記の目的を達成するために本発明における金属部品の表面加工方法は、旋盤または研磨機で加工した金属部品の加工面の表面粗さを極小にする金属部品の表面加工方法であって、旋盤または研磨機で加工した金属部品の加工面に、粒径０．１〜１．０ｍｍのショットを噴射圧０．１〜０．４ＭＰａで投射して、当該加工面における前記旋盤のバイトまたは前記研磨機の砥石の送り方向の表面粗さを極小に改善するようにしたことを特徴とする。
【０００６】
なお、本発明においてショットの粒径を０．１ｍｍ未満にすると、表面粗さの改善効果が得がたく、また１．０ｍｍを超えると、表面粗さが大きくなる。
またなお、本発明においてショットの噴射圧を０．１ＭＰａ未満にすると、表面粗さの改善効果が得がたく、また０．４ＭＰａを超えると、表面粗さが大きくなる。
【発明の効果】
【０００７】
以上の説明からも明らかなように本発明は、旋盤または研磨機で加工した金属部品の加工面の表面粗さを極小にする金属部品の表面加工方法であって、旋盤または研磨機で加工した金属部品の加工面に、粒径０．１〜１．０ｍｍのショットを噴射圧０．１〜０．４ＭＰａで投射して、当該加工面における前記旋盤のバイトまたは前記研磨機の砥石の送り方向の表面粗さを極小に改善するようにしたから、バイトまたは砥石の送り速度を早くしても表面粗さの小さい加工面を得ることができ、しかも、加工面の硬度を向上させることも可能になるなどの優れた実用的効果を奏する。
【発明を実施するための最良の形態】
【０００８】
以下、本発明を適用した金属部品の表面加工方法の最良の形態について図面に基づき詳細に説明する。浸炭焼入れした硬度７５０ＨＶの材質ＳＣＭ４２０Ｈの丸棒を加工して所望の部品を製造すべく、この丸棒を旋盤で加工すると、丸棒の加工面には図1に示すように、バイトによって螺旋状の溝が生じる。次に、この加工面に粒径０．２および１．０ｍｍのショットを、噴射圧０．１ＭＰａ、０．２５ＭＰａ、０．４ＭＰａでそれぞれ投射してカバレージ１００または５００%の処理面とし、加工面における前記旋盤のバイトの送り方向の表面粗さが極小になるようにし、  その後、この加工面の表面粗さを測定すると、図2に示すような結果になった。
【０００９】
なお、図２において、カバレージとは、単位面積に対してショットを投射したときの打痕がほぼ全面に亘る場合には、カバレージ１００%という。したがって、カバレージ２００%とは、単位面積に対するショットの打痕がほぼ全面に亘りかつその密度が二重の場合であり、カバレージ５００%とは、その密度が五重の場合である。
【００１０】
この図2からは、ショットの投射前の加工面におけるバイトの送り方向の表面粗さは、約１．０８μｍであったが、ショットの投射により、最小０．９３μｍに改善されたことが分かる。
【図面の簡単な説明】
【００１１】
【図１】本発明を適用する前に棒材を旋盤によって切削した時のその加工面の斜視図と、本発明について説明するに当たり関係事項を表示するものである。
【図２】本発明を適用して表面の粗さを改善したときのデータを表示するグラフである。
【図１】
2008049444.tif 000002
【図２】
2008049444.tif 000003
(57)【要約】      （修正有）【課題】指に設けられた関節の角度を調節可能なリーチャーを提供すること。【解決手段】（イ）硬質製パイプの腕（３）の先端に関節（７）を設けた３本の弾力製パイプの指（２）を取り付け、腕（３）の反対側にレバー（５）を設けた握り手（６）を取り付ける。（ロ）弾力製パイプをＶ字型にカットし関節（７）を作り、指先（１）の内側にワイヤー（４）の片端を固定し、弾力製パイプの指（２）と硬質製パイプの腕（３）の中を通しレバー（５）に固定する。（ハ）腕（３）にアジャスターロック（９）を設けたアジャスター（１０）をはめ、アジャスター（１０）と関節（７）の根元とをスポーク（８）で接続した。本発明は、以上を特徴とするリーチャーである。【選択図】図２
2008049468.tif 000002
【特許請求の範囲】
【請求項１】
（イ）、腕（３）の先端に関節（７）を設けた指（２）を取り付け、腕（３）の反対側にレバ−（５）を設けた握り手（６）を取り付ける。
（ロ）、弾力製パイプをＶ字型にカットし関節（７）を作り、指先（１）の内側にワイヤ−（４）の片端を固定し、指（２）と腕（３）の中を通しレバ−（５）に固定する。
（ハ）、アジャスターロック（９）を設けたアジャスタ−（１０）を腕（３）にはめる、アジャスタ−（１０）と関節（７）の根元をスポ−ク（８）で接続する。
以上の構成より、なる関節（７）を設けた指（２）を拡大縮小できるリーチャー。
【発明の詳細な説明】
【技術分野】
【０００１】この発明は、関節（７）を設けた３本の指（２）が物を確実につかみ、より大きな物はアジャスターにより指（２）の角度を拡大する事により人の手に近づけたリーチャーに関する物である。
【背景技術】
【０００２】従来、リーチャーの指は堅く関節もなく、開く大きさ、角度も一定である。
【発明の開示】
【発明が解決しようとする課題】
【０００３】そのために、次のような問題点があった。
（イ）  指は関節がないため、柔軟性がなく、小さい物や薄い物はつかめない。
（ロ）  指は堅いため、割れやすい物はつかみにくい。
（ハ）  指が開く大きさ、角度が一定のため、つかめる物が限定される。
本発明は、これらの問題点を解決するためになされた物である。
【課題を解決するための手段】
【０００４】（イ）硬質製パイプの腕（３）の先端に関節（７）を設けた３本の弾力製パイプの指（２）を取り付け、腕（３）の反対側にレバー（５）を設けた握り手（６）を取り付ける。
（ロ）弾力製パイプをＶ字型にカットし関節（７）を作り、指先（１）の内側にワイヤー（４）の片端を固定し、弾力製パイプの指（１）と硬質製パイプの腕（３）の中を通しレバー（５）に固定する。
（ハ）腕（３）にアジャスターロック（９）を設けたアジャスター（１０）ははめ、アジャスター（１０）と関節（７）の根元をスポーク（８）で接続する。
本発明は、以上を特徴とするリーチャーである。
【発明の効果】
【０００５】  レバー（５）を操作する事により関節（７）を伸縮させ、指先（１）を柔軟に動かす事により、失敗無く小さな物から大きな物までつかむことができる。更に、指先（１）が弾力製であることから割れやすいものもつかむことができる。
関節（７）は、弾力製パイプを使用することにより蝶番やスプリングが不要となり構造がシンプルで壊れにくく安価である。
【発明を実施するための最良の形態】
【０００６】以下、本発明の実施の形態について説明する。
（イ）パイプの腕（３）に関節（７）を設けた３本の指（２）を取り付け、腕（３）の反対側にレバー（５）を設けた握り手（６）を取り付ける。
（ロ）弾力製パイプをＶ字型にカットした関節（７）を作り、指先（１）の内側にワイヤー（４）の片端を固定し、指（２）と腕（３）の内部を通しレバー（５）に固定する
（ハ）アジャスターロック（９）を設けたアジャスター（１０）を腕（３）にはめ、アジャスター（１０）と関節〈７）の根元とをスポーク（８）で接続する。
本発明は以上のような構成で、これを使用するときは、つかむ物の大きさによりアジャスター（１０）を調整する。小さな物や薄い物は、アジャスター（１０）を左にしアジャスターロック（９）で固定し、握り手（６）のレバー（５）を握れば指先（１）が［図２］のように閉じ物をつかむことができる。大きな物をつかむときは、アジャスター（１０）を右にしてアジャスターロック（９）で固定し、握り手のレバー（５）を握れば指先（１）および指（２）が［図４］のように閉じて物をつかむことができる。
このように自分の手の感触でつかむので割れやすい物もつかむことができる。
【図面の簡単な説明】
【０００７】
【図１】本発明の小さい物を掴む前の正面図（アジャスター（１０）を左にしてアジャスター・ロック（９）をロックしたところ）
【図２】本発明の小さな物を掴んだ後の正面図（レバー（５）を握った時の使用中の図）
【図３】本発明の大きな物を掴む前の正面図（アジャスター（１０）を右にしてアジャスター・ロック（９）をロックしたところ）
【図４】本発明の大きな物を掴んだ後の正面図（レバー（５）を握った時の使用中の図）
【符号の説明】
【０００８】  １  指先              ６  握り手
２  指                ７  関節
３  腕                ８  スポーク
４  ワイヤー          ９  アジャスターロック
５  レバー          １０  アジャスター
【図１】
2008049468.tif 000003
【図２】
2008049468.tif 000004
【図３】
2008049468.tif 000005
【図４】
2008049468.tif 000006
(57)【要約】【課題】  微調整および組立てに際して、作業に時間があまりかからず、容易に所定の姿勢に組立て可能な直交ロボットを提供することにある。【解決手段】  １個の直交軸に他の直交軸を組み合わせる直交ロボットにおいて、この１個の直交軸に設けた他の直交軸を取付けるためのブラケットに、他の直交軸の姿勢を調整する調整機構を設けたこと、を特徴とする１個の直交軸に他の直交軸を組み合わせる直交ロボットとした。  また、この調整機構は、ネジの押し引きにより、調整を行うことを特徴とすることとした。【選択図】  図１
2008049406.tif 000002
【特許請求の範囲】
【請求項１】
１個の直交軸に他の直交軸を組み合わせる直交ロボットにおいて、
前記１個の直交軸に設けた前記他の直交軸を取付けるためのブラケットと、
前記ブラケットに前記他の直交軸の姿勢を調整するための調整機構と、
を備えて構成したことを特徴とする１個の直交軸に他の直交軸を組み合わせる直交ロボット。
【請求項２】
前記調整機構は、少なくとも前記他の直交軸と前記ブラケットとが接触する１接触面に設けられたこと、を特徴とする請求項１記載の１個の直交軸に他の直交軸を組み合わせる直交ロボット。
【請求項３】
前記調整機構は、ネジの押し引きにより行う調整機構であること、を特徴とする請求項１ないし２の内のいずれか１項に記載の１個の直交軸に他の直交軸を組み合わせる直交ロボット。
【発明の詳細な説明】
【技術分野】
【０００１】
本発明は、１個の直交軸に他の直交軸を組み合わせる直交ロボットに係り、特に１個の直交軸に設けた他の直交軸を取付けるためのブラケットに関する。
【背景技術】
【０００２】
従来から、この種の直交ロボットは周知であり、Ｘ軸、Ｙ軸等の平面で作業する例えば検査用ロボットとして使用されている。
１個の直交軸に他の直交軸を組み合わせる際、この１個の直交軸はテーブル等の強固のフレームに取り付けられるが、他の直交軸は前記１個の直交軸のスライダにブラケットを介して取り付けている。このような直交軸を使用した装置の一例は、例えば特開平８−０９１３０４に示される自動箱詰装置の例がある。
【特許文献１】特開平８‐０９１３０４号公報
【発明の開示】
【発明が解決しようとする課題】
【０００３】
しかしながら前述のスライダへのブラケットの取付けは、スライダが移動すること、ブラケットの取付けによる他の直交軸各部の変形等、或いは組立て誤差により所定の姿勢に組み立てることが困難で、その微調整および組立て作業の時間も掛かった。
【０００４】
本発明の目的は、前述のように従来の直交ロボットに在った所定の姿勢に組み立てることが困難で、その微調整および組立て作業の時間も掛かったという欠点を取除き、微調整および組立て作業の時間が掛からず容易に所定の姿勢に組み立ができる直交ロボットを提供することにある。
【課題を解決するための手段】
【０００５】
前述の目的を達成するため、本発明は、１個の直交軸に他の直交軸を組み合わせる直交ロボットにおいて、この１個の直交軸に設けた他の直交軸を取付けるためのブラケットと、このブラケットに他の直交軸の姿勢を調整する調整機構と、を備えて構成したことを特徴とする１個の直交軸に他の直交軸を組み合わせる直交ロボットとした。
【０００６】
また、少なくとも他の直交軸とブラケットとが接触する１接触面に調整機構を設けたことにより、他の直交軸の姿勢を調整することが可能の１個の直交軸に他の直交軸を組み合わせる直交ロボットとなる。
【０００７】
更にまた、調整機構は、ネジの押し引きにより行えばより好適な１個の直交軸に他の直交軸を組み合わせる直交ロボットとなる。
【発明の効果】
【０００８】
この発明によれば、直交ロボットは微調整および組立て作業の時間が掛からず容易に所定の姿勢に組立てができる。
【発明を実施するための最良の形態】
【０００９】
次に本発明の１実施形態を図１および図２により説明する。図中の符号の数字１は、直交ロボットを示したもので、第１軸目の軸用スライダ装置２と第２軸目の軸用スライダ装置３とが互に直交して設けてあり、第１軸目の軸用スライダ装置２には、その開口部４内をＸ方向に移動するスライダ５が、第２軸目の軸用スライダ装置３には、その開口部６内をＹ方向に移動するスライダ７が、夫々設けてある。
【００１０】
第２軸目の軸用スライダ装置３は、第１軸目の軸用スライダ装置２のスライダ５にブラケット８を介して取り付けられている。このブラケット８は、Ｘ方向、Ｙ方向の基準となる突き当て部９および矢印Ｚで示す垂直方向の基準となる基板１０から成る断面がカギ型形状となっている。このブラケット８には、図２に示すように、ネジ１１を押し引きし、第２軸目の軸用スライダ装置３をＺ方向に微調整して、所定の姿勢にするための調整機構１２が設けられている。
【００１１】
ここで調整機構１２は、前述のようにＺ方向に微調整する場合を説明したが、図３に示すように、ブラケット８と第２軸目の軸用スライダ装置３の接する接触面に、夫々調整機構１３および１４を設ければＸ、Ｙ方向の微調整が可能になる。
【００１２】
この実施形態例では、上述のように構成されているので、直交ロボットの組立てに際し、微調整および組立て作業の時間があまり掛からず容易に所定の姿勢に組立てができることとなる。
【図面の簡単な説明】
【００１３】
【図１】この発明が適用される一実施形態を示す直交ロボットの概要説明図である。
【図２】この発明が適用される１実施形態を示す直交ロボットの概要説明図で、図１のＷ矢視図を示す調整機構の拡大した詳細な説明図である。
【図３】この発明が適用される他の実施形態を示す直交ロボットの説明図で、図２のＸ矢視図である。
【符号の説明】
【００１４】
１  直交ロボット
２  第１軸目の軸用スライダ装置
３  第２軸目の軸用スライダ装置
４、６  開口部
５、７  スライダ
８  ブラケット
９  突き当て部
１０  基板
１１  ネジ
１２、１３、１４  調整機構
【図１】
2008049406.tif 000003
【図２】
2008049406.tif 000004
【図３】
2008049406.tif 000005
(57)【要約】【課題】  上部から車体に被せる手段ではなく、車体全体を包み込んで覆うことで塵や埃の侵入を遮断し、長期の保管において車体に塵埃の付着を防止し、美観が損なわれることがない二輪車の車体カバーを提案する。【解決手段】  車体１を包むのに十分な大きさの布地２で形成し、布地２を広げて敷いた状態で車体１を布地２上に乗り上げて適正位置に停車させ、車体１を包んで布地２の左右側端を当接させて閉じる手段を設けるとともに、布地２の前後を閉じる手段を設け、布地２で車体１を袋状に包むことを特徴とする。【選択図】  図１
2008049719.tif 000002
【特許請求の範囲】
【請求項１】
車体１を包むのに十分な大きさの布地２で形成し、布地２を広げて敷いた状態で車体１を布地２上に乗り上げて適正位置に停車させ、車体１を包んで布地２の左右側端を当接させて閉じる手段を設けるとともに、布地２の前後を閉じる手段を設け、布地２で車体１を袋状に包むことを特徴とする二輪車のカバー。
【請求項２】
布地２が透明材である請求項１に記載の二輪車のカバー。
【発明の詳細な説明】
【技術分野】
【０００１】
この発明は、自動二輪車、マウンテンバイク等の二輪車を保護するための車体カバーに関するものである。
【背景技術】
【０００２】
現在、一般に用いられている二輪車の車体カバーは、合成繊維製の布地を車体の外形形状に適合するように立体的に形成し、上部から車体に被せて全体を覆う形式のものである（特許文献１参照）。また、車体への取り付け、取り外しを簡単にし、車体カバーを携帯可能としたものも提案されている（特許文献２参照）。
【０００３】
一方、自動二輪車の場合は冬季の間利用されないことが多く、趣味性の高い自動二輪車や特殊バイクを所有する愛好家は、大切に保管する所有者が多い。従来の二輪車の車体カバーは上部から車体に被せるものであるから、開口した下部から塵や埃が入り込むため、不使用の間の長期の保管では車体に塵埃が付き、美観が損なわれることが避けられないものである。
【特許文献１】特開２００５−２３１６２７号公報
【特許文献２】特開２００６−１９３０２８号公報
【発明の開示】
【発明が解決しようとする課題】
【０００４】
この発明は、上部から車体に被せる手段ではなく、車体全体を包み込んで覆うことで塵や埃の侵入を遮断し、長期の保管において車体に塵埃の付着を防止し、美観が損なわれることがない二輪車の車体カバーを提案するものである。
【課題を解決するための手段】
【０００５】
こうした目的を達成するため、この発明の二輪車の車体カバーは、車体１を包むのに十分な大きさの布地２で形成し、布地２を広げて敷いた状態で車体１を布地２上に乗り上げて適正位置に停車させ、車体１を包んで布地２の左右側端を当接させて閉じる手段を設けるとともに、布地２の前後を閉じる手段を設け、布地２で車体１を袋状に包むことを特徴とするものである。
【０００６】
また、布地２を透明材で形成するものである。
【発明の効果】
【０００７】
この発明の二輪車の車体カバーは、車体１を包んで布地２の左右側端を当接させて閉じる手段を設けるとともに、布地２の前後を閉じる手段を設け、布地２で車体１を袋状に包むものであるから、車体１全体が包み込まれて覆われ、車体カバー内に塵や埃の侵入が遮断され、長期の保管において車体１に塵埃の付着を防止することができる。また、車体カバーは風で飛ばされることがなく、車体カバーを取り除かないと車体１の移動ができないので、盗難防止の効果を奏するものである。
【０００８】
また、布地２を透明材で形成すすれば、大切に保管する愛好家は常に車体１の美観を楽しむことができる。
【発明を実施するための最良の形態】
【０００９】
以下にこの発明を実施するための最良の形態について、図面を用いて説明する。
図１から３はこの発明の最初の実施例で、この二輪車の車体カバーは、車体１を包むのに十分な大きさの布地２で形成されている。図２は、布地２を広げて地面やガレージの床面に敷いた状態で、車体１を停車させる位置にゴム製等の保護シート３が設けられ、この保護シート３は、布地２に縫着等して適正位置に固定してもよいし、保護シート３を別部品として使用者が適正位置に自在に敷くようにしてもよい。布地２の左右側端には一対のファスナー５が設けられ、図３に示すように、布地２の上下辺に沿って紐部材６が裏面に並んだループ７を通して設けられている。
【００１０】
この車体カバーの使用方法は、最初に布地２を広げて敷き、車体１を布地２上に乗り上げて保護シート３の位置に停車させる。次に布地２を筒状に巻いて左右側端を当接させ、ファスナー５を閉じる。最後に紐部材６を結んで布地２の前後を閉じる。このようにして、図１に示すように布地２で車体１を袋状に包み込む。
【００１１】
図４はこの発明の他の実施例である。この二輪車の車体カバーは、布地２の表側に紐部材６を通すループ７を設け、紐部材６の両端を、布地２の左右側端の近接位置に開けた孔８を通して裏側に通すようにしたものである。この車体カバーを用いて車体１を袋状に包み、紐部材６を結んで布地２の前後を閉じると、紐部材６が布地２の内側となって絞りが効くとともに、ループ７が外に表れずに美観上も好ましい。
【００１２】
以上、実施例について説明したが、この発明の車体カバーの布地２の材質としては防水加工が施された合成繊維製の布地が適正であるが、屋根付きガレージでの保管用には綿素材を用いることができる。また、大切に保管する愛好家が車体１の美観を常に楽しむことができるように、布地２を透明ビニール製等の透明材で形成してもよい。
【００１３】
また、布地２の左右側端を閉じる手段、布地２の前後を閉じる手段としては、ファスナー５、紐部材６の他、掛け留め方法、面ファスナー等の他の手段を用いることができる。実施例ではループ７を通して紐部材６を布地２に取り付けるものとしたが、ループ７を設けずに布地２に取り付けず、単純に外側から紐部材６で縛ることで布地２の前後を閉じるようにしてもよい。
【００１４】
また、この発明の二輪車の車体カバーは、自動二輪車の他、マウンテンバイクやスポーツサイクル等の趣味性の高い二輪車の保管にも適し、布地２の大きさ、形状はそれぞれの車体１を包むのに十分で適した形状に形成する。
【図面の簡単な説明】
【００１５】
【図１】最初の実施例の使用状態の正面図。
【図２】車体カバーを広げた状態の平面図。
【図３】車体カバーを広げた状態の裏面図。
【図４】この発明の他の実施例の車体カバーを広げた状態の平面図。
【符号の説明】
【００１６】
１  車体
２  布地
【図１】
2008049719.tif 000003
【図２】
2008049719.tif 000004
【図３】
2008049719.tif 000005
【図４】
2008049719.tif 000006
(57)【要約】【課題】  料理をしながら囲炉裏を囲んで飲食をしようとすると器を置く場所がなく、囲炉裏周りが炭火により熱い（油が飛び散る）という難点があった。  また、持ち運びにかさばり扱いにくく、保管場所確保も大変であっため本発明は、この課題を解消するためになされたものである。【解決手段】天板（テーブル）１と遮断板４を支える受け棒５を装着することによって遮断板４及び天板１が使用できるようにした。また天板１は組立式にしてかさばらないようにして持ち運び及び保管しやすくした、本体に串料理受け棒７を設けて囲炉裏９は脱着式にして、高さ変更することもでき扱いやすくしたものである。【選択図】図２
2008049098.tif 000002
【特許請求の範囲】
【請求項１】
持ち運びに便利で、串料理が焼ける串受け桟が付き本体の中央に設置できる囲炉裏と本体周りに設置できる組立テーブルが一帯になることができる組立式簡易囲炉裏テーブル。
【発明の詳細な説明】
【発明の詳細な説明】
【技術分野】
【０００１】本発明は、小型化で持ち運び便利で、囲炉裏を囲んで楽しく飲食しながら料理ができる組立式テーブル（天板）、中央に囲炉裏と必要に応じて囲炉裏外周に熱（油）よけ遮断板を設けることができ、しかも串料理が焼ける串立て場所もあり、本体を高さ変更できるようにしたものである。
【背景技術】
【０００２】従来は、組立式バーベキューコンロ外周に天板が付いた一帯型組立式囲炉裏付テーブルがなかった。【０００３】
【特許文献１】
【発明が解決しようとする課題】
【０００４】料理をしながら囲炉裏を囲んで飲食をしようとすると器を置く場所がなく、囲炉裏周りが炭火により熱い（油が飛び散る）という難点があった。
また、持ち運びにかさばり扱いにくく、保管場所確保も大変であったため本発明は、この課題を解消するためになされたものである。
【課題を解決するための手段】
【０００５】天板（テーブル）１と遮断板４を支える受け棒５を装着することによって遮断板４及び天板１が使用できるようにした。また天板１は組立式にしてかさばらないようにして持ち運び及び保管しやすくした、本体に串料理受け棒７を設けて囲炉裏９は脱着式にして、高さ変更することもでき扱いやすくしたものである。
【発明を実施するための最良の形態】
【０００６】以下、本発明の実施の形態について説明する。
（イ）本体中央に囲炉裏９を取付ける。
（ロ）天板１の天板固定金具１４及び遮断板４の穴に、受け棒５を本体上部両端のパイプに通して天板固定板６とボルトナット１３で天板１と遮断板４を固定する
（ハ）囲炉裏９底に砂（金網桟）１０を置く。
（二）座卓式からテーブル式にするときは、継ぎ脚１６を取付ける。
【発明の効果】
【０００７】（イ）屋外で囲炉裏とテーブルの両方を一帯で簡易に楽しめる。
（ロ）遮断板で油及び熱を防ぐことにより囲炉裏を囲んで楽しく料理をしながら皆で飲食でき、遮断板を外せば暖房器具を兼ねることができる。
（ハ）座卓式とテーブル式が楽しめる。
【図面の簡単な説明】
【図１】本発明の平面図である。
【図２】本発明の断面図である。
【符号の説明】
１  天板
２  天板受け固定金具
３  天板受け金具
４  遮断板
５  受け棒
６  天板固定板
７  串料理受け棒
８  本体
９  囲炉裏
１０  砂（金網）
１１  チェーン掛け
１２  囲炉裏吊チェーン
１３  固定ボルトナット
１４  天板固定金具
１５  脚固定ボルト
１６  継ぎ脚
【図１】
2008049098.tif 000003
【図２】
2008049098.tif 000004
(57)【要約】      （修正有）【課題】目の不自由な方や障害を持っている人が、簡単に間違いなく薬を服用できる薬ケースを、提供する。【解決手段】透明薬ケースＡに１回分の薬を入れ、透明本体ケースＢのＦ部分よりケースＡを入れケースＢのＥ部分より引き取りだしケースＡの蓋を開け薬を服用することによって、誤飲等をなくす。【選択図】図５
2008049097.tif 000002
【特許請求の範囲】
【請求項１】
盲人の方が薬を服用する都度ごとに本体Ｂ（図６）より、Ａの透明なケース（図１）を図６のＥ部分より１ケ取り出しＡの蓋をあけて１回分の薬をとりだすことの出来る薬ケース
本体Ｂは透明ケースである、本体ＢのＣ部分は残量がさわってわかる様になっている、本体Ｂには約一週間分のＡの透明ケースが入るＤ部分の穴は壁掛けにもできる穴
（図５）のＧ部分を付ける事によってケースＡを取り出しやすくする。
上記の事を特徴とした薬ケース
【発明の詳細な説明】
【技術分野】
【０００１】本発明は、目の不自由な方が薬を服用する際に、間違いなく簡単に一回分の薬を、（朝、昼、夕）一週間服用出来るようにしたものである
【背景技術】
【０００２】従来は、一週間分の薬ケースは有るのですが、目の不自由な方用の薬ケースはなかった。
【発明の開示】
【発明が解決しようとする課題】
【０００３】目の不自由な方が薬を服用する際、一週間分入る薬ケースはパレット状になっていたりして、どの薬を服用したか分からないと言ったような問題が生じたりした。又、薬ケースが大きいため置く場所に困った。
【課題を解決するための手段】
【０００４】薬ケースＡに朝、昼、夕の各一回分の薬を分けて入れる、その薬ケースＡを本体Ｂのケースに（図６のように）朝、昼、夕と重ねて１週間分れて服用毎に１ケースずつ取り出し、薬ケースＡの蓋を開けて服用する。又図３のＡ−１′Ａ−２′Ａ−３′のように、触ってわかるように印を付ける
【発明の効果】
【０００５】この発明によって、薬の服用間違いや、服用忘れがなくなる、それに積み重ねることによって場所も取らないし図６のＤのように穴をあければ壁掛けにもなる
【実施例１】
【０００６】透明薬ケースＡの厚さは、薄くその形にきっちり合うように、Ｂの本体透明ケースをＡケースが２１個〜２８個入るように高い箱状のケースを作りそれを図６の上部Ｆ部分から挿入し下部Ｅ部分より引き取りだして使用する。又Ｃ部分は開いていてここを触ることによって残量がわかる
Ｇの三角を付ける事でケースＡが取り出しやすくなる。
【図面の簡単な説明】
【０００７】
【図１】  Ａケースの正面図
【図２】  Ａケースの断面図
【図３】  Ａケースの詳細図
【図４】  Ｂケースの正面図
【図５】  Ｂケースの断面図
【図６】  本発明の正面図
【符号の説明】
【０００８】  Ａ  透明ケース
Ｂ  本体透明ケース
Ｃ  開口部
Ｄ  引っ掛け穴
Ｅ  取り出し口
Ｆ  挿入口
Ａ−１′〜Ａ−３′  点字又は記し
【図１】
2008049097.tif 000003
【図２】
2008049097.tif 000004
【図３】
2008049097.tif 000005
【図４】
2008049097.tif 000006
【図５】
2008049097.tif 000007
【図６】
2008049097.tif 000008
(57)【要約】      （修正有）【課題】下部腰椎だけでなく上部腰椎も含めた脊柱全体を伸ばすことの出来る健康器具を提供する。【解決手段】土台３の上に設置した半円柱状の台１と緩衝層２にうつ伏せに乗るように構成される。土台３及び台１本体は、発泡ポリスチレンであり、この本体３の上部に緩衝層２としてウレタンが使用される。緩衝層２にうつ伏せに乗ることにより、脊柱全体を体重及び重力によって引き伸ばすことが出来る。したがって、股関節等に無理な力を加えることなく、脊柱間の軟骨の狭さく等の症状に効果を発揮できる。【選択図】図１
2008049095.tif 000002
【特許請求の範囲】
【請求項１】
脊柱全体を伸ばせることを特徴とした健康器具
【請求項２】
半円柱形の台を使用することを特徴とする請求項１記載の健康器具
【請求項３】
牽引に際し、重り等、他の重量を利用しない請求項１記載の健康器具
【発明の詳細な説明】
【技術分野】
【０００１】この発明は、背骨の牽引に用いる健康器具の形状に関する。
【技術背景】
【０００２】従来の牽引器具の形状は、下半身に重りを付けその重量で背骨を牽引するものである。
【発明の開示】
【発明が解決しようとする課題】
【０００３】しかしながら、以上の技術によれば、下部腰椎及び股関節の牽引には効果があるものの、上部腰椎、脊柱全体の牽引は出来なかった。さらに、下半身に重りを付け牽引するため、大腿部、腰部の筋肉を無理に引き伸ばしてしまうという弊害があった。
そこで、この発明は、下部腰椎だけでなく上部腰椎も含めた脊柱全体を伸ばすことの出来る健康器具を提供することを課題とする。
【課題を解決するための手段】
【０００４】以上の課題を解決するために、第一発明は脊柱全体を伸ばすことを特徴とする健康器具である。
また、第二発明は、半円柱形の台を使用することを特徴とする健康器具である。
また、第三発明は、台の傾斜角度を利用し重り等重量を利用しないことを特徴とする健康器具である。
【発明の効果】
【０００５】第一発明、第二発明、第三発明によれば、半円柱の台を使用し、体重及び重力のみの力で腰部や関節に悪影響を与えず、脊柱全体を牽引伸ばす効果が得られる。
この発明の一実施形態を、図１に示す。
土台３及び台１本体は、発泡ポリスチレンであり、この本体の上部に緩衝層２としてウレタンを使用している。【０００６】「実施形態の効果」
この実施形態によれば、土台３の上に設置した半円柱状の台１と緩衝層２にうつ伏せに乗ることにより、脊柱全体を体重及び重力によって引き伸ばすことが出来る。したがって、股関節等に無理な力を加えることなく、脊柱間の軟骨の狭さく等の症状に効果を発揮できる。
【図面の簡単な説明】
【０００７】
【図１】この発明の一実施形態を示す斜視図である。
【符号の説明】
【０００８】１  半円柱台          ２  ウレタン層（緩衝材）          ３  土台
【図１】
2008049095.tif 000003
(57)【要約】      （修正有）【課題】茶葉、お香又はアロマテラピー用の精油を車内で安全に焚くことのできる製品を提供する。【解決手段】車内からの給電用電線３でセラミックス加熱体の車用電気式香炉１が発熱することにより、加熱皿２に入れた茶葉または天然由来成分を焚くことで殺菌、消臭効果があり、車内での煙草の臭いなど異臭が軽減され、また香りでは搭乗者には癒しの空間として提供することが可能となり、ストレスを緩和軽減作用があり、交通安全に寄与することができる製品である。【選択図】図１
2008049100.tif 000002
【特許請求の範囲】
【請求項１】
車の中に積載するセラミックス加熱体を備えてなることを特徴とする電気式香炉。
【発明の詳細な説明】
【技術分野】
【０００１】  本発明は、車の中で茶葉、お香並びアロマテラピー用の精油を焚く事ができる製品である。
【背景技術】
【０００２】  従来の車用の芳香剤、消臭剤は化学的に作られた物が多く販売されています。科学物質が含まれている為、個人差により車酔いまたは気分が悪くなる等の不快感を生じる事が有りました。例えば、実開平０６−３２９４４１号に開示された電動ファン付芳香装置は、臭いの付いている芳香片をファンで送り出す装置である。すなわち、芳香片は化学物質が含まれているものである。
【発明の開示】
【発明が解決しようとする課題】
【０００３】  自然界で収穫された茶葉、お香又はアロマテラピー用の精油を焚く事で車内の殺菌、消臭効果があり、また心身には鎮静、鎮痙作用が有ります。【０００４】  そこで、本発明は運転者のストレスを軽減し交通安全に寄与すると共に、搭乗者の車内での異臭などによる不快感を緩和することを目的とするものである。
【問題を解決するための手段】
【０００５】  本発明は、上記目的を達成するために提案された物であって、第１の発明（請求項１記載の発明）は、車内から電源を取り、加熱皿に内蔵されたセラミックス加熱体に茶葉、お香並びアロマテラピー用の精油を入れ、焚きあげることを特徴とするものである。
【発明を実施するための最良の形態】
【０００６】  車内の限定された空間に於ける異臭などによる様々な人体に及ぼす影響を、茶葉、香料などの天然由来成分を使用する事により、優しい芳香により影響を軽減し、また癒される事により交通事故などの抑制効果や搭乗者にも快適な空間を提供することが可能となります。
【実施例】
【０００７】  車内で茶葉を焚くことで、消臭、殺菌効果があり、車内での煙草の臭いなど異臭が軽減される。また、ラベンダー精油を焚いた場合運転者には鎮静効果をもたらしストレスが緩和されます。
【発明の効果】
【０００８】  本発明（請求項１記載の発明及び請求項）によれば、車内からの電源供給でセラミックス加熱体が発熱することにより、茶葉、お香又はアロマテラピー用の精油を安全に焚き上げることにより、車内の異臭を軽減し、運転者のストレスを緩和し、また搭乗者には癒しの空間として提供することが可能となり、交通安全に寄与することができる。
【図面の簡単な説明】
【０００９】
【図１】車用電気式香炉の正面図である。
【図２】車用電気式香炉の上面図である。
【符号の説明】
【００１０】１  車用電気式香炉
２  加熱皿
３  給電用電線
【図１】
2008049100.tif 000003
【図２】
2008049100.tif 000004
(57)【要約】【課題】炭酸塩から合成されたリーフ状とフォールデッドアラゴナイト粒子及びその製法を提供することを解決すべき課題としている。【解決手段】炭酸塩を酸で溶解した後、この溶液をアルカリ溶液により目的とする形状に対応したｐHに調整した後、この溶液にCO2ガスを吹き込むことにより得られるアラゴナイト組織を有するリーフとチューブ状の晶出体及び其の製造方法。【選択図】図1
2008222534.tif 000002
【特許請求の範囲】
【請求項１】
Mg、Fe、Na、Kの1種または2種以上を含む炭酸塩を酸で溶解した後、この溶液をアンモニア水、水酸化Na、水酸化カルシウム等のアルカリ溶液により目的とする形状に対応したｐHに調整した後、この溶液にCO2ガスを吹き込むことにより得られるアラゴナイト組織を有するリーフとチューブ状の晶出体及び其の製造方法。
【請求項２】
炭酸カルシウムを主成分としアラゴナイト組織を有する中空かつ棒状のフォールデッド（薄層の積層により形成された）晶出体及び其の製造方法。
【請求項３】
天然のドロマイトを使用し形状がリーフ状であるアラゴナイト組織晶出体と其の製造方法。
【請求項４】
天然のドロマイトを粉砕後75ミクロンより小さいものに分級したものを酸に溶解、ろ過した後アンモニア水等でｐHを調整後、この溶液を略８０℃に保持したものに一定量のCO2ガスを連続して吹き込むことにより得られるリーフ状と中空の棒状アラゴナイト組織の晶出体及びその製造方法。
【発明の詳細な説明】
【技術分野】
【０００１】
本発明は、炭酸塩から合成されたリーフ状とフォールデッドアラゴナイト粒子及び其の製造方法に関するものである。
【背景技術】
【０００２】
従来、針状の組織を有するアラゴナイトおよびその製法が特許出願されている。針状のものにあっては、例えば硝酸カルシウムと水酸化マグネシウムを含有するスラリーを60度C以上に保持して炭酸ガスを吹き込む方法が報告されている。（特許文献１、２）。板状の組織を有するものとしては塩基性炭酸カルシウムを生成する条件下で、かつ有機アミン化合物の共存下に炭酸化反応をさせることを特徴とする板状炭酸カルシウムの製造方法がある（特許文献３）が、いずれも本出願にのべるリーフ状のものは存在しない。
また中空形状を有するものとしては、過飽和の炭酸水素カルシウム溶液に、結晶型がアラゴナイトの種晶を添加することにより、炭酸カルシウム結晶を析出させる。これにより、中空柱状という新規な結晶外形を有するアラゴナイト型炭酸カルシウムを形成させる方法が提供されるが本方法とは全く異なるものである。
【特許文献１】特開平2003-63820
【特許文献２】特開平07-267634
【特許文献３】特開平2005-200282
【発明の開示】
【発明が解決しようとする課題】
【０００３】
上記従来例ではアラゴナイト組織の生成条件は溶液濃度、不純物元素、ｐH、温度等の影響について精度良く制御する必要があり、これまでの段階では、条件をつめきってはいないという問題点があった。
本発明の特徴は、これらの各条件を精度良く制御することにより、低廉原料である天然ドロマイトを原料として使用可能としたことにある。
【０００４】
本発明は、上記従来の実情に鑑みてなされたものであって、炭酸塩から合成されたリーフ状とフォールデッドアラゴナイト粒子及びその製法を提供することを解決すべき課題としている。
【課題を解決するための手段】
【０００５】
請求項１記載の発明のアラゴナイト組織を有するリーフとチューブ状の晶出体及び其の製造方法は、Mg、Fe、Na、Kの1種または2種以上を含む炭酸塩を酸で溶解した後、この溶液をアンモニア水、水酸化Na、水酸化カルシウム等のアルカリ溶液により目的とする形状に対応したｐHに調整した後、この溶液にCO2ガスを吹き込むことにより得られる。
請求項2記載の発明は、炭酸カルシウムを主成分としアラゴナイト組織を有する中空かつ棒状のフォールデッド（薄層の積層により形成された）晶出体及び其の製造方法である。
請求項３記載の発明は、天然のドロマイトを粉砕後75ミクロンより小さいものに分級したものを酸に溶解、ろ過した後アンモニア水等でｐHを調整後、この溶液を略８０℃に保持したものに一定量のCO2ガスを連続して吹き込むことにより得られるリーフ状と中空の棒状アラゴナイト組織の晶出体及びその製造方法である。
天然のドロマイトを使用し、アルカリ溶液に溶解した後、目的とする形状に対応したｐHに調整し、この溶液にCO2ガスを吹き込むことにより極めて低廉な形状がリーフ状であるアラゴナイト組織晶出体が得られることが判明した。
請求項４記載の発明は、天然のドロマイトを粉砕後＜75ミクロンより小さいものに分級したものを酸に溶解、ろ過した後アンモニア水等でｐHを調整後、この溶液を略８０℃に保持したものに一定量のCO2ガスを連続して吹き込むことにより得られるリーフ状および中空の棒状アラゴナイト組織の晶出体とその製造方法である。
【発明の効果】
【０００６】
本発明により、容易にリーフおよびチューブ状のアラゴナイトが得られることが判明した。
また、Mg、Fe等を含む低廉なドロマイトを使用することにより、容易にかつ低廉なアラゴナイトが得られる。
【発明を実施するための最良の形態】
【０００７】
以下，本発明を具体化した実施例を説明する。
【実施例】
【０００８】
Mg、Fe、Na、Kの1種または2種以上を含む炭酸塩を酸で溶解した後、この溶液をアンモニア水、水酸化Na、水酸化カルシウム等のアルカリ溶液により目的とする形状に対応したｐHに調整する。しかる後、この溶液にCO2ガスを吹き込むことにより図１に示すようにアラゴナイト組織を有するリーフとチューブ状の晶出体が得られた。
また天然のドロマイトを使用し、アルカリ溶液に溶解した後、目的とする形状に対応したｐHに調整し、この溶液にCO2ガスを吹き込むことにより極めて低廉な形状がリーフ状であるアラゴナイト組織晶出体が得ら得ることが判明した。
【０００９】
本発明で得られたリーフ状アラゴナイトとフォールデッドアラゴナイトをそれぞれ図2と図3に示す。
【産業上の利用可能性】
【００１０】
本発明により、容易にリーフおよびチューブ状のアラゴナイトが得られることが判明した。
また、Mg、Fe等を含む低廉なドロマイトを使用することにより、容易にかつ低廉なアラゴナイトが得られる。
pHによってもその極性を調整できるなど循環型の反応媒体として利用可能である。
【図面の簡単な説明】
【００１１】
【図１】アラゴナイト組織を有するリーフとチューブ状の晶出体が得られたことを示す説明図である。
【図２】本発明によるプロセスで得られた晶出体をろ過、乾燥して得られたリーフ状アラゴナイトを示す写真図である。
【図３】本発明によるプロセスで得られた晶出体をろ過、乾燥して得られたフォールデッドアラゴナイトを示す写真図である。
【図１】
2008222534.tif 000003
【図２】
2008222534.tif 000004
【図３】
2008222534.tif 000005
(57)【要約】【課題】添加物を必要としない高純度のアラゴナイト組織を有する針状ないしは柱状形状の晶出体と其の製造方法を提供することを解決すべき課題としている。【解決手段】塩化カルシウム水溶液にアンモニア水を加えて目的とする形状に対応したｐHに調整後、60℃以上の温度でCO2ガスを吹き込むことによるアラゴナイト組織を持った晶出体と其の製造方法。【選択図】図1
2008222533.tif 000002
【特許請求の範囲】
【請求項１】
塩化カルシウム水溶液にアンモニア水を加えて目的とする形状に対応したｐHに調整後、この溶液に60℃以上の温度でCO2ガスを吹き込むことによるMg、Fe等のイオンを含まない針状もしくは柱状形状を有するアラゴナイト組織を持った晶出体と其の製造方法。
【請求項２】
炭酸カルシウムの占める割合が９８％より大きいアラゴナイト組織を有する針状ないし柱状形状を有するアラゴナイト組織を有する晶出体と其の製造方法。
【発明の詳細な説明】
【技術分野】
【０００１】
本発明は、炭酸ガスバブリング法により形成した高純度のアラゴナイト組織を有する炭酸カルシウムの針状もしくは柱状粒子と其の製造方法に関するものである。
【背景技術】
【０００２】
従来の技術としては、針状の組織を有するアラゴナイトおよびその製法が出願されている。針状のものにあっては、例えば硝酸カルシウムと水酸化マグネシウムを含有するスラリーを60度C以上に保持して炭酸ガスを吹き込む方法が報告されている（特許文献１）。また塩化カルシウム、水酸化マグネシウムおよび水の３成分共存系に、60℃以上で炭酸ガスを吹き込んで反応させ、針状の炭酸カルシウムを析出させる（特許文献2）。が、いずれもカルサイト晶出を防ぐためインヒビターとしてMgが使用されておりかかる添加物を用いるという問題点があった。
【特許文献１】特開平2003-63820
【特許文献２】特開平05-221633
【発明の開示】
【発明が解決しようとする課題】
【０００３】
本発明は、上記従来の実情に鑑みてなされたものであって、添加物を必要としない高純度のアラゴナイト組織を有する針状ないしは柱状形状の晶出体と其の製造方法を提供することを解決すべき課題としている。
【課題を解決するための手段】
【０００４】
請求項１記載の発明は、塩化カルシウム水溶液にアンモニア水を加えて目的とする形状に対応したｐHに調整後、この溶液に60℃以上の温度でCO2ガスを吹き込むことによるMg、Fe等のイオンを含まない針状もしくは柱状形状を有するアラゴナイト組織を持った晶出体と其の製造方法である。
請求項2記載の発明は、炭酸カルシウムの占める割合が９８％より大きいアラゴナイト組織を有する針状ないし柱状形状を有するアラゴナイト組織を有する晶出体と其の製造方法である。
【発明の効果】
【０００５】
従来、針状アラゴナイトは、カルサイト晶出を防ぐためインヒビターとしてMg、Fe、K等が使用されている。本出願では、かかる添加物を必要としない高純度のアラゴナイト組織を有する針状ないしは柱状形状の晶出体とその製法を提供する。
【発明を実施するための最良の形態】
【０００６】
以下，本発明を具体化した実施例を説明する。
【実施例】
【０００７】
塩化カルシウム濃度0.023mol/lの水溶液を60℃以上に保持し、これにCO2/N2を0.3乃至0.6とした混合ガスを１ｌあたり50ml乃至10  l/min約10min吹き込むことにより図１に示すようにアラゴナイト組織をもつ炭酸カルシウムの針状ないし柱状粒子が得られる。このときの溶液のｐHは８乃至10であった。粒子の形状、組織は温度に強く依存する。
本発明で得られたアラゴナイト組織をもつ炭酸カルシウムの針状と柱状粒子の写真図をそれぞれ図2と図3に示す。
【産業上の利用可能性】
【０００８】
本発明によるアラゴナイトは従来方法のようにカルサイト析出を抑制するためのインヒビターを使用していないため高純度の炭酸カルシウムのアラゴナイト組織であり、安全性の面できわめて優れた利点を有する。例えば、食品添加用として利用可能性がある。
【図面の簡単な説明】
【０００９】
【図１】アラゴナイト組織をもつ炭酸カルシウムの針状ないし柱状粒子が得られることを示す説明図である。
【図２】本発明によるプロセスで得られた晶出体をろ過、乾燥して得られたアラゴナイト組織をもつ炭酸カルシウムの針状の写真図である。
【図３】本発明によるプロセスで得られた晶出体をろ過、乾燥して得られたアラゴナイト組織をもつ炭酸カルシウムの柱状粒子の写真図である。
【図１】
2008222533.tif 000003
【図２】
2008222533.tif 000004
【図３】
2008222533.tif 000005
(57)【要約】      （修正有）【課題】水溶性薬剤の少量永続添加方法として従来の薬注ポンプに代わる、より低コストで簡便で容易な錠剤とその製法の提供。【解決手段】水溶性粉状の薬剤を錠剤とし、その錠剤の表面を耐水性で透水性な皮膜で被覆して得る徐放・持続・水溶性錠剤、およびその製法であり、該皮膜が親水性有機高分子の多孔質膜形成物で、該多孔質膜形成物が自己縮合型ポリアクリル酸プレポリマーの分散液またはこの粉体を錠剤の表面に塗付して造膜したもの。【選択図】なし【特許請求の範囲】
【請求項１】
水溶性粉状の薬剤に徐放性、持続性を付与する為に、粉剤を錠剤とし、その錠剤の表面を耐水性で透水性な皮膜で被覆する事で得る、徐放・持続・水溶性錠剤と、その製法。
【発明の詳細な説明】
【技術分野】
【０００１】  本発明は  水処理に於いて、添加する水溶性薬剤を  永続的に  長期間  少量づつ配合する  簡便・容易な方法である。
【発明の開示】
【発明が解決しようとする課題】
【０００２】  水処理に於いて  水溶性薬剤を長期間少量づつ添加するには、薬注ポンプが汎用であるが、添加量に厳密さが問われない  多くの事例では  より低コストな  簡便・容易な方法が求められている。
【課題を解決するための手段】
【０００３】  薬剤の水溶性自体を加減することが可能ならば  事は簡単であるが、薬剤本来の機能を重視すれば  副材料に依って溶出量を加減することが  より得策である。副材料として  薬剤容器に耐水性、透水性ある物を採用する方法もあるが  錠剤個々の表面を耐水・透水性皮膜で被覆すれば  最も簡便・容易な、徐放・持続・水溶性錠剤が得られる。
【発明の効果】
【０００４】  錠剤を被覆する皮膜の耐水性や透水性を加減する事は  確立された技術で容易であり、それに依って  錠剤個々は様々な徐放持続性を付与されて  様々な使途用法に適用される。
【発明を実施するための最良の形態】
【０００５】  皮膜形成には種々可能だが、最適として親水性有機高分子の多孔質膜形成物がある。
【実施例１】
【０００６】  自己縮合型ポリアクリル酸プレポリマーの分散液を適当量  錠剤へ塗付、乾燥する。
【実施例２】
【０００７】  ポリアクリル酸プレポリマーの粉体を錠剤の表面に適当量静電塗付し、加熱造膜する。